(57)【要約】【課題】外袋に風が吹き込んだ場合に働く力を効果的に抑制できる果実掛袋を提供する。【解決手段】果実掛袋１は、果実を内包する内袋１０と、内袋１０を上部が露出するように収容する外袋２０と、を有している。外袋２０は、上縁および下縁が開口した外袋本体２１と、外袋本体２１が平らに折りたたまれたときに互いに重なる内面箇所同士を接着する複数の接着部３１、３２と、有し、複数の接着部３１、３２が、左右方向に互いに間隔をあけて配置されている。【選択図】図１
2018143141.tif 000002
【特許請求の範囲】
【請求項１】
果実を内包する内袋と、前記内袋を収容する外袋と、を有する果実掛袋であって、
前記外袋が、上縁および下縁が開口した外袋本体と、前記外袋本体が平らに折りたたまれたときに互いに重なる内面箇所同士を接着する複数の接着部と、有し、
前記複数の接着部が、左右方向に互いに間隔をあけて配置されていることを特徴とする果実掛袋。
【請求項２】
前記複数の接着部が、前記外袋本体の前記内面箇所同士を接着する接着部に加え、前記外袋本体が平らに折りたたまれたときに互いに重なる前記内袋の外面箇所および前記外袋本体の内面箇所を接着する接着部を含むことを特徴とする請求項１に記載の果実掛袋。
【請求項３】
前記外袋本体が平らに折りたたまれたときの当該外袋本体の左右方向長さに対する前記複数の接着部の左右方向長さの合計の比率が、０．０１４〜０．３４となることを特徴とする請求項１または請求項２に記載の果実掛袋。
【請求項４】
前記複数の接着部が、前記内袋に内包される果実の生育による膨張圧力によって剥離するように前記外袋本体の前記内面箇所同士を接着していることを特徴とする請求項１〜請求項３のいずれか一項に記載の果実掛袋。
【請求項５】
前記内袋に内包される果実の生育による膨張圧力によって剥離するように、前記内袋が平らに折りたたまれたときに互いに重なる内面箇所同士を接着する内袋接着部を有していることを特徴とする請求項４に記載の果実掛袋。
【請求項６】
前記複数の接着部のうちの前記外袋本体の前記内面箇所同士を接着している接着部の合計面積が、７ｍｍ２〜１２０ｍｍ２となることを特徴とする請求項４または請求項５に記載の果実掛袋。
【請求項７】
果実を内包する内袋と、前記内袋を収容する外袋と、を有する果実掛袋であって、
前記外袋が、上縁および下縁が開口した外袋本体と、前記外袋本体が平らに折りたたまれたときに互いに重なる内面箇所同士を接着する１つの接着部と、有し、
前記外袋本体が平らに折りたたまれたときの当該外袋本体の左右方向長さに対する前記接着部の左右方向長さの比率が、０．０１４〜０．３４となることを特徴とする果実掛袋。
【請求項８】
前記接着部が、前記内袋に内包される果実の生育による膨張圧力によって剥離するように前記外袋本体の前記内面箇所同士を接着していることを特徴とする請求項７に記載の果実掛袋。
【発明の詳細な説明】
【技術分野】
【０００１】
本発明は、桃、プラムおよびリンゴ等の果実に使用する果実掛袋に関する。
【背景技術】
【０００２】
果実の生産に際し、果実の病害予防、防虫、生育促進、着色促進、果実の表面の傷等を防ぐといった種々の目的のため、幼果期の果実に果実掛袋を被せることが行われている。
【０００３】
このような果実掛袋の一例が特許文献１に開示されている。特許文献１に開示されている果実掛袋は、内袋と外袋とを重ね合わせて構成されている。内袋は、その上部が外袋より上方に露出しており、内袋の上縁中央部には、果実の袋掛けの際に果樹の枝を挿入するためのＶ字形の切欠部が設けられている。外袋は、有底で上縁のみを開口した袋状に製袋されている。外袋の正面側および背面側のそれぞれの上部には内袋と部分的に接着して外袋と内袋とを一体化する貼着部が設けられている。貼着部は、切裂き線によって外袋と分離可能に形成されている。果実掛袋は、果実の生育状態に合わせて外袋が内袋から引きはがされ分離される。
【先行技術文献】
【特許文献】
【０００４】
【特許文献１】特開２００９−２１３４０３号公報
【発明の概要】
【発明が解決しようとする課題】
【０００５】
しかしながら、上記果実掛袋は、外袋に進入した雨水を排出するために、外袋の下縁両隅に開口部が設けられているところ、外袋に台風などによる非常に強い風が吹き込んだ際には上記開口部からの風の排出が間に合わずに、外袋に対して内袋から引きはがそうとする強い力が働くおそれがあった。
【０００６】
そこで、本発明は、外袋に風が吹き込んだ場合に働く力を効果的に抑制できる果実掛袋を提供することを目的とする。
【課題を解決するための手段】
【０００７】
上記目的を達成するために、本発明の一態様の果実掛袋は、果実を内包する内袋と、前記内袋を収容する外袋と、を有する果実掛袋であって、前記外袋が、上縁および下縁が開口した外袋本体と、前記外袋本体が平らに折りたたまれたときに互いに重なる内面箇所同士を接着する複数の接着部と、有し、前記複数の接着部が、左右方向に互いに間隔をあけて配置されていることを特徴とする。
【０００８】
本発明によれば、外袋本体が平らに折りたたまれたときに互いに重なる内面箇所同士を接着する複数の接着部が、左右方向に互いに間隔をあけて配置されている。このようにしたことから、複数の接着部と交互に並ぶ少なくとも３つ以上の複数の開口部が形成されて、外袋の上縁から吹き込んだ風をこれら複数の開口部を通じて下縁から効果的に排出することができる。
【０００９】
本発明においては、前記複数の接着部が、前記外袋本体の前記内面箇所同士を接着する接着部に加え、前記外袋本体が平らに折りたたまれたときに互いに重なる前記内袋の外面箇所および前記外袋本体の内面箇所を接着する接着部を含むようにしてもよい。このようにすることで、内袋と外袋との間が大きく開いてしまうことを抑制できる。
【００１０】
本発明においては、前記外袋本体が平らに折りたたまれたときの当該外袋本体の左右方向長さに対する前記複数の接着部の左右方向長さの合計の比率が、０．０１４〜０．３４となることが好ましい。当該比率が、０．０２〜０．２５となることがより好ましい。このようにすることで、外袋の遮光と外袋の下縁からの風の排出とを適切に両立することができる。
【００１１】
本発明においては、前記複数の接着部が、前記内袋に内包される果実の生育による膨張圧力によって剥離するように前記外袋本体の前記内面箇所同士を接着していることが好ましい。果実の種類によっては、適切な生育タイミングで太陽光に当てないとその後の色付きが悪くなってしまうため、外袋を取り除くべき期間が比較的短いものがある。そして、本発明によれば、ある大きさまで果実が生育すると果実によって接着部が剥離されて外袋の下縁が開口するので、それを目印にして外袋を取り除くべき時期をより適切に知ることができる。
【００１２】
本発明においては、前記内袋に内包される果実の生育による膨張圧力によって剥離するように、前記内袋が平らに折りたたまれたときに互いに重なる内面箇所同士を接着する内袋接着部を有していてもよい。このようにすることで、内袋の下縁についても果実の生育に伴って開口することができる。
【００１３】
本発明においては、前記複数の接着部のうちの前記外袋本体の前記内面箇所同士を接着している接着部の合計面積が、７ｍｍ２〜１２０ｍｍ２となることが好ましい。このようにすることで、果実の生育による接着部の剥離が適切に行われるようにすることができる。
【００１４】
上記目的を達成するために、本発明の他の一態様の果実掛袋は、果実を内包する内袋と、前記内袋を収容する外袋と、を有する果実掛袋であって、前記外袋が、上縁および下縁が開口した外袋本体と、前記外袋本体が平らに折りたたまれたときに互いに重なる内面箇所同士を接着する１つの接着部と、有し、前記外袋本体が平らに折りたたまれたときの当該外袋本体の左右方向長さに対する前記接着部の左右方向長さの比率が、０．０１４〜０．３４となることを特徴とする。本発明によれば、外袋の上縁から吹き込んだ風をこれら複数の開口部を通じて下縁から効果的に排出することができるとともに、外袋の遮光と外袋の下縁からの風の排出とを適切に両立することができる。
【００１５】
本発明においては、前記接着部が、前記内袋に内包される果実の生育による膨張圧力によって剥離するように前記外袋本体の前記内面箇所同士を接着していることが好ましい。このようにすることで、ある大きさまで果実が生育すると果実によって接着部が剥離されて外袋の下縁が開口するので、外袋を取り除くべき時期をより適切に知ることができる。
【発明の効果】
【００１６】
本発明によれば、複数の接着部と交互に並ぶ複数の開口部を通じて、外袋の上縁から吹き込んだ風を下縁から効果的に排出することができるので、外袋に風が吹き込んだ場合に働く力を効果的に抑制できる。
【図面の簡単な説明】
【００１７】
【図１】本発明の一実施形態に係る果実掛袋を説明する図である。
【図２】図１の果実掛袋の分解斜視図である。
【図３】図１の果実掛袋が幼果期の果実に被せられている状態を説明する図である。
【図４】図１の果実掛袋において外袋の下縁が開いた状態を説明する図である。
【図５】図１の果実掛袋において外袋を除袋した状態を示す斜視図である。
【発明を実施するための形態】
【００１８】
以下、本発明の一実施形態の果実掛袋について、各図を参照して説明する。
【００１９】
図１は、本発明の一実施形態に係る果実掛袋を説明する図であって、（ａ）は果実掛袋の内袋および外袋が平らに折りたたまれた状態の正面図であり、（ｂ）は同状態で上方から見た図である。図２は、図１の果実掛袋の分解斜視図である。図３は、図１の果実掛袋が幼果期の果実に被せられている状態を説明する図であって、（ａ）は斜視図であり、（ｂ）は外袋を下方から見た模式図である。図４は、図１の果実掛袋において、果実の生育して肥大したことにより外袋の下縁が開いた状態を説明する図であって、（ａ）は斜視図であり、（ｂ）は外袋を下方から見た模式図である。図５は、図１の果実掛袋において外袋を除袋した状態を示す斜視図である。
【００２０】
本実施形態の果実掛袋１は、図１（ａ）、（ｂ）に示すように、果実を内包する内袋１０と、内袋１０をその上部が露出するように収容する外袋２０と、を有しており、内袋１０と外袋２０とを重ね合わせて構成されている。
【００２１】
内袋１０は、例えば、白色または淡色のパラフィン紙または耐水、撥水処理を施した紙などの適度の透光性を有するシート体からなる。内袋１０は、図１（ｂ）に示すように平らに折りたたまれた状態でその上部が外袋２０の上方に露出するようにして外袋２０に収容されている。内袋１０は、内袋本体１１と、接着片１６、１６とを有している。
【００２２】
内袋本体１１は、横長長方形のシート体が、その一端に糊代部１２を残すようにして二つ折りされるとともに糊代部１２がシート体の他端に重なるように折り返され、糊代部１２とシート体の他端とが接着剤で貼り合わされて、上縁１１ａおよび下縁１１ｂが開口した無端帯状（環状帯形状）に形成されている。
【００２３】
内袋本体１１の上縁１１ａの中央部には、果実Ａの袋掛けの際、果樹の枝Ｂを挿入するためのＶ字形の切欠部１３が設けられている。内袋本体１１の左右両側部には、図１（ｂ）に示すように、Ｚ状に折り畳まれた縦ひだ１４、１４が設けられている。これら縦ひだ１４、１４によって、内袋本体１１の開口有効径を外袋２０の開口径より実質上大きくしている。また、内袋本体１１の糊代部１２には細い針金１５が封入されている。この針金１５によって、枝Ｂ上に巻き付けられた内袋本体１１の上部を緊縛する。
【００２４】
接着片１６、１６は、略三角形状に形成されており、それぞれが内袋本体１１の下縁１１ｂに、切り裂き線１６ａを介して繋がっている。接着片１６、１６は、線状の内袋接着部１７によって、内袋１０に内包される果実の生育による膨張圧力によって剥離するように、内袋１０が平らに折りたたまれたときに互いに重なる内面箇所同士が接着されている。本実施形態において、内袋接着部１７の面積は、２０ｍｍ２（２ｍｍ×１０ｍｍ）とされており、果実の生育による内袋接着部１７の剥離が適切に行われるようにしている。なお、内袋接着部１７を省略した構成としてもよく、さらには、接着片１６、１６自体を省略した構成としてもよい。
【００２５】
外袋２０は、外袋本体２１と、複数の接着部３１、３２、３３と、を有している。
【００２６】
外袋本体２１は、適度の遮光性を有する横長長方形のシート体が、その一端に重ね部２２を残すようにして二つ折りされるとともに重ね部２２がシート体の他端に重なるように折り返され、重ね部２２とシート体の他端とが接着剤で貼り合わされて、上縁２１ａおよび下縁２１ｂが開口した無端帯状（環状帯形状）に形成されている。
【００２７】
外袋本体２１の重ね部２２の上部には、接着剤を塗布しない余白部分２３が設けられており、中央部から下部にかけて、接着剤を塗布した接着部分２４が設けられている。なお、本実施形態では、重ね部２２の下端部にも接着剤を塗布しない余白部分２５が設けられているが、この余白部分２５は必須ではなく、余白部分２５を省略して接着部分２４が重ね部２２の下端部まで設けられていてもよい。
【００２８】
重ね部２２の上部の余白部分２３は、果実掛袋１に収納された果実Ａの生育によって、その体積膨張に伴う圧力により重ね部２２の分だけ外側に広がりを持たせる部分である。
【００２９】
接着部分２４は、上部に比較的剥離しやすい弱接着域２４ａを有しており、その下部に剥離しにくい強接着域２４ｂを有している。強接着域２４ｂの上端は、果実Ａの最大径ａに対応する部位より下方に位置するように設けられる。
【００３０】
弱接着域２４ａには、点付け接着箇所２４ａ１と接着剤を塗布しない非接着箇所２４ａ２とが上方から下方に順に並べて設けられている。強接着域２４ｂには、接着剤を一定の幅で連続させて塗布した帯状接着箇所２４ｂ１が設けられている。帯状接着箇所２４ｂ１の面積に比べて点付け接着箇所２４ａ１の面積が極めて小さいことから、強接着域２４ｂより弱接着域２４ａの接着力が弱くなる。このため、果実Ａの生育による膨張圧力が点付け接着箇所２４ａ１に加わると、点付け接着箇所２４ａ１は果実Ａの膨張圧力によって剥れ、そして、点付け接着箇所２４ａ１が剥れると、非接着箇所２４ａ２と余白部分２３とが連続して、内袋１０が外側により大きく広がることが可能となる。
【００３１】
外袋本体２１の正面部２１ｃおよび背面部２１ｄのそれぞれの上部には、内袋１０と部分的に接着して外袋本体２１と内袋１０とを一体化する貼着部２６、２６が設けられている。各貼着部２６は、切り裂き線２６ａによって外袋本体２１と分離可能に形成されている。
【００３２】
複数の接着部３１、３２、３３は、外袋本体２１の上下方向中央より下縁２１ｂ寄りに左右方向に間隔をあけて直線上に並ぶように配置されている。複数の接着部３１、３２、３３は、互いに上下方向にずれて配置されていてもよい。
【００３３】
複数の接着部３１、３２は、外袋本体２１が平らに折りたたまれたときに互いに重なる外袋本体２１の内面箇所同士を、内袋１０に内包する果実の生育による膨張圧力によって剥離するように接着している。複数の接着部３１、３２は、果実Ａが太陽光を当てられるべき大きさに生育したタイミングで剥離するように接着されかつ配置されている。
【００３４】
複数の接着部３１、３２の合計面積は、７ｍｍ２〜１２０ｍｍ２となることが好ましい。また、複数の接着部３１、３２のそれぞれの面積は、５ｍｍ２〜６０ｍｍ２となることが好ましい。このようにすることで、果実の生育による接着部３１、３２の剥離が適切に行われるようにすることができる。本実施形態において、一例として、複数の接着部３１、３２の合計面積は３０ｍｍ２とされており、それぞれの面積は、１５ｍｍ２（５ｍｍ×３ｍｍ）とされている。
【００３５】
接着部３３は、外袋本体２１が平らに折りたたまれたときに互いに重なる内袋１０（具体的には、接着片１６、１６）の外面箇所および外袋本体２１の内面箇所を接着している。接着部３３により、内袋１０と外袋２０との間に風が吹き込んだときなどに、内袋１０と外袋２０との間が大きく開いてしまうことを抑制できる。なお、これら複数の接着部３１、３２、３３は、接着剤によって接着するものに加え、粘着剤によって粘着するものも含む。
【００３６】
複数の接着部３１、３２、３３を設けることにより、これら複数の接着部３１、３２、３３と交互に並ぶように配置された複数の開口部４１、４２、４３、４４が形成されている。開口部４１、４４は、外袋本体２１の左右方向両側部に配置され、開口部４２、４３は、外袋本体２１の左右方向中央部に配置される。これら複数の開口部４１、４２、４３、４４は、外袋本体２１に進入した雨水を下縁２１ｂから排出するとともに、外袋本体２１の上縁２１ａに吹き込んだ風を下縁２１ｂから排出する。
【００３７】
また、外袋本体２１が平らに折りたたまれたときの当該外袋本体２１の左右方向長さＷに対する複数の接着部３１、３２、３３の左右方向長さＷ１、Ｗ２、Ｗ３の合計の比率Ｒ１が、０．０１４〜０．３４となることが好ましい。また、当該比率Ｒ１が、０．０２〜０．２５となることがより好ましい。このようにすることで、外袋２０の遮光と外袋２０の下縁２１ｂからの風の排出とを適切に両立することができる。また、外袋本体２１が平らに折りたたまれたときの当該外袋本体２１の左右方向長さＷに対する複数の接着部３１、３２の左右方向長さＷ１、Ｗ２の合計の比率をＲ２が、０．０１４〜０．３４となることが好ましい。
【００３８】
本実施形態においては、例えば、小さいサイズの果実用の場合、Ｗ＝１２０ｍｍ、Ｗ１＝Ｗ２＝５ｍｍ、Ｗ３＝１５ｍｍであり、上記比率Ｒ１が０．２１となり、上記比率Ｒ２が０．０８となる。中程度のサイズの果実用の場合、Ｗ＝１３０ｍｍ、Ｗ１＝Ｗ２＝５ｍｍ、Ｗ３＝１５ｍｍであり、上記比率Ｒ１が０．１９となり、上記比率Ｒ２が０．０８となる。大きいサイズの果実用の場合、Ｗ＝１４０ｍｍ、Ｗ１＝Ｗ２＝５ｍｍ、Ｗ３＝１５ｍｍであり、上記比率Ｒ１が０．１８となり、上記比率Ｒ２が０．０７となる。
【００３９】
また、本実施形態において、内袋１０および外袋２０は、それぞれが一重構成であったが、これに限定するものではなく、内袋１０および外袋２０のいずれか一方または両方を複数のシート体を重ねた多重構成としてもよい。
【００４０】
上述した本実施形態の果実掛袋１の使用方法について説明する。
【００４１】
図３（ａ）に示すように、幼果期の袋掛け作業として、果実Ａに果実掛袋１を被せて内袋１０の切欠部１３に枝Ｂを挿入し、枝Ｂに内袋１０の上部を巻き付けて針金１５で緊縛する。このように、果実Ａを果実掛袋１で覆うことにより、雨水による病害の抑止と、糖度上昇及び熟度の進展を促して、収穫期まで内袋１０を掛けて果実Ａを病害、害虫、害鳥及び散布農薬の汚染から保護することができる。
【００４２】
袋掛け後、果実Ａが生育して肥大する前は内袋１０および外袋２０が内側から押し広げられていないので、重ね部２２が閉じられた状態でかつ複数の接着部３１、３２、３３および内袋接着部１７は接着状態を保ったままである。このとき、図３（ｂ）に模式的に示すように、複数の接着部３１、３２、３３と交互に並んで複数の開口部４１、４２、４３、４４が形成され、外袋本体２１の上縁２１ａから進入した雨水や風が、これら複数の開口部４１、４２、４３、４４を通じて外袋本体２１の下縁２１ｂから排出される。
【００４３】
そして、袋掛けから時間が経過すると、図４（ａ）に示すように、果実掛袋１内の果実Ａが生育して肥大し、それに伴って内袋１０は縦ひだ１４、１４が展開して径方向に広がり、外袋２０も肥大化した果実Ａにより内側から押し広げられる。このとき、外袋２０の径が内袋１０の径に比べて小さいので、外袋２０は、まずは接着されてない余白部分２３が広がり、さらに果実Ａが肥大すると点付け接着箇所２４ａ１が剥離して弱接着域２４ａまで広がる。なお、強接着域２４ｂの帯状接着箇所２４ｂ１は接着状態を保ったままとなる。
【００４４】
さらに果実Ａが生育して太陽光を当てられるべき大きさになると、果実Ａにより外袋２０が内側から押し広げられて、外袋本体２１の内面箇所同士を接着している複数の接着部３１、３２が剥離し、さらには内袋１０の接着片１６、１６同士を接着している内袋接着部１７が剥離して、図４（ｂ）に示すように、外袋２０の下縁２１ｂが大きく開口する。これにより、太陽光が開口した外袋２０の下縁２１ｂから内側に差し込んで果実Ａに当たる。
【００４５】
複数の接着部３１、３２および内袋接着部１７が剥離して外袋２０の下縁２１ｂが大きく開口した果実掛袋１は、果実Ａが外袋２０を内袋１０から引きはがして除袋するのに適した生育状態であることを示しており、作業者はこのように外袋２０の下縁２１ｂが大きく開口した果実掛袋１を目印に、図５に示すように、外袋２０を除袋する。
【００４６】
以上説明したように、本実施形態の果実掛袋１は、外袋２０の外袋本体２１が平らに折りたたまれたときに互いに重なる内面箇所同士を接着する複数の接着部３１、３２、および、互いに重なる内袋１０の外面箇所および外袋本体２１の内面箇所を接着する接着部３３が、左右方向に互いに間隔をあけて配置されている。このようにしたことから、複数の接着部３１、３２、３３と交互に並ぶ少なくとも４つの開口部４１、４２、４３、４４が形成されて、外袋２０の上縁２１ａから吹き込んだ風をこれら複数の開口部４１、４２、４３、４４を通じて下縁２１ｂから効果的に排出することができる。したがって、外袋２０に風が吹き込んだ場合に働く力を効果的に抑制できる。
【００４７】
また、複数の接着部３１、３２が、内袋１０に内包される果実Ａの生育による膨張圧力によって剥離するように外袋本体２１の内面箇所同士を接着し、内袋接着部１７が、内袋１０に内包される果実Ａの生育による膨張圧力によって剥離するように内袋１０（具体的には、接着片１６、１６）の内面箇所同士を接着している。果実Ａの種類によっては、適切な生育タイミングで太陽光に当てないとその後の色付きが悪くなってしまうため、外袋２０を取り除くべき期間が比較的短いものがあるが、本実施形態の果実掛袋１によれば、ある大きさまで果実が生育すると果実によって複数の接着部３１、３２および内袋接着部１７が剥離されて外袋２０の下縁２１ｂが開口するので、外袋を取り除くべき時期をより適切に知ることができる。
【００４８】
また、上述した実施形態では、複数の接着部３１、３２を有する構成であったが、これに限定されるものではない。例えば、外袋本体２１の上下方向中央より下縁２１ｂ寄りでかつ左右方向中央付近に１つの接着部を設け、外袋本体２１が平らに折りたたまれたときの当該外袋本体２１の左右方向長さＷに対する１つの接着部の左右方向長さの比率が、０．０１４〜０．３４となるようにしてもよい。また、この構成において、上記１つの接着部が、内袋１０に内包される果実の生育による膨張圧力によって剥離するように外袋本体２１の内面箇所同士を接着していてもよい。この構成でも、上述した実施形態と同様の作用効果を奏する。
【００４９】
上記に本発明の実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００５０】
１…果実掛袋、１０…内袋、１１…内袋本体、１１ａ…上縁、１１ｂ…下縁、１２…糊代部、１３…切欠部、１４…縦ひだ、１５…針金、１６…接着片、１６ａ…切り裂き線、１７…内袋接着部、２０…外袋、２１…外袋本体、２１ａ…上縁、２１ｂ…下縁、２１ｃ…正面部、２１ｄ…背面部、２２…重ね部、２３、２５…余白部分、２４…接着部分、２４ａ…弱接着域、２４ａ１…点付け接着箇所、２４ａ２…非接着箇所、２４ｂ…強接着域、２４ｂ１…帯状接着箇所、２６…貼着部、２６ａ…切り裂き線、３１、３２、３３…接着部、４１、４２、４３、４４…開口部、Ａ…果実、Ｂ…枝、Ｗ…外袋本体の左右方向の長さ、Ｗ１、Ｗ２、Ｗ３…接着部の左右方向の長さ。
【図１】
2018143141.tif 000003
【図２】
2018143141.tif 000004
【図３】
2018143141.tif 000005
【図４】
2018143141.tif 000006
【図５】
2018143141.tif 000007